(57)【特許請求の範囲】
【請求項１】
情報データが予め記録されている再生専用領域と、情報データの記録が可能な記録可能領域とを有する光ディスクであって、
前記再生専用領域に記録トラックを担う第１グルーブが形成されていると共に互いに隣接する前記第１グルーブ間のランド部にディスクアドレスを担う第１ランドプリピットの複数が形成され、前記記録可能領域に記録トラックを担う第２グルーブが形成されていると共に互いに隣接する前記第２グルーブ間のランド部にディスクアドレスを担う第２ランドプリピットの複数が形成されているディスク基板層を備え、
前記記録可能領域に形成されている前記第２ランドプリピットにおける窪みの深さは前記第２グルーブにおける溝の深さと同一であり、
前記再生専用領域では、前記情報データを担う情報ピットの複数が前記第１グルーブに形成されており、前記ランド部に形成されている前記第１ランドプリピット各々の内で前記情報ピットと同一のディスク半径ライン上に形成されている第１ランドプリピットにおける窪みの深さは前記情報ピットにおける窪みの深さと同一であり、その他の第１ランドプリピットにおける窪みの深さは前記第１グルーブにおける溝の深さと同一であることを特徴とする光ディスク。
【請求項２】
前記第１グルーブにおける溝の深さは、前記情報ピットの深さよりも浅いことを特徴とする請求項１記載の光ディスク。
【請求項３】
前記ディスク基板層上に色素記録が為される記録層が形成されていることを特徴とする請求項１記載の光ディスク。
【請求項４】
前記記録層における前記再生専用領域に該当する部分は、前記情報データの消去状態にあることを特徴とする請求項３記載の光ディスク。
【発明の詳細な説明】
【技術分野】
【０００１】
本発明は、情報データの書き込みが可能な光ディスクに関する。
【背景技術】
【０００２】
現在、光ディスクとして、1枚の媒体に、記録可能領域と共に、再生専用領域を備えたものが提案されている（例えば特許文献１参照）。かかる光ディスクの記録可能領域及び再生領域各々には、周波数変調の施されたアドレス情報が記録されているウォーブル状のグルーブ（以下、ウォーブルグルーブと称する）が設けられている。尚、再生専用領域のウォーブルグルーブ内には、情報データを担うピット列が予め形成されている。
【０００３】
ここで、上記の如き光ディスクからアドレス情報を再生するには、ウォーブルグルーブから読み取られた読取信号中から、アドレス情報に対応した周波数変調信号を検出する。この際、再生専用領域のグルーブ内にはピット列が形成されている為、読取信号の振幅が低くなり、読み取りエラーが生じる虞がある。そこで、かかる読み取りエラーを防止すべく、読取信号の振幅を大きくすべき処理を施すようにしている。ところが、読取信号の振幅を大きくした分だけ、ウォーブルグルーブ内に予め形成されているピット列からの信号干渉も増大し、アドレス情報を確実に再生することが困難になるという問題が生じた。
【特許文献１】特開平５−３６０８７号公報
【発明の開示】
【発明が解決しようとする課題】
【０００４】
本発明は、かかる問題を解決すべく為されたものであり、記録可能領域及び再生専用領域のいずれの領域からでも精度良くアドレス情報の再生を行うことが可能となる光ディスクを提供することを目的とする。
【課題を解決するための手段】
【０００５】
請求項１記載による光ディスクは、情報データが予め記録されている再生専用領域と、情報データの記録が可能な記録可能領域とを有する光ディスクであって、前記再生専用領域に記録トラックを担う第１グルーブが形成されていると共に互いに隣接する前記第１グルーブ間のランド部にディスクアドレスを担う第１ランドプリピットの複数が形成され、前記記録可能領域に記録トラックを担う第２グルーブが形成されていると共に互いに隣接する前記第２グルーブ間のランド部にディスクアドレスを担う第２ランドプリピットの複数が形成されているディスク基板層を備え、前記記録可能領域に形成されている前記第２ランドプリピットにおける窪みの深さは前記第２グルーブにおける溝の深さと同一であり、前記再生専用領域では、前記情報データを担う情報ピットの複数が前記第１グルーブに形成されており、前記ランド部に形成されている前記第１ランドプリピット各々の内で前記情報ピットと同一のディスク半径ライン上に形成されている第１ランドプリピットにおける窪みの深さは前記情報ピットにおける窪みの深さと同一であり、その他の第１ランドプリピットにおける窪みの深さは前記第１グルーブにおける溝の深さと同一である。
【発明を実施するための最良の形態】
【０００６】
本発明による光ディスクは、情報データが予め記録されている再生専用領域及び情報データの記録が可能な記録可能領域を有し、夫々の領域内には、記録トラックを担うグルーブと共に、ディスクアドレスを表すランドプリピットが互いに隣接するグルーブ間のランド部に形成されている。この際、再生専用領域内では、情報データを担う情報ピットの複数がグルーブに形成されており、ランド部に形成されているランドプリピット各々の内で情報ピットと同一ディスク半径ライン上に形成されているランドプリピットの深さは情報ピットの深さと同一であり、その他のランドプリピットの深さはグルーブの深さと同一である。
【０００７】
かかる構成によれば、再生専用領域において、情報データを担うピット列からの信号干渉を受けることなく、ディスクアドレスを表すランドプリピットを検出することができるようになる。よって、記録可能領域と同様に、再生専用領域からでも確実にディスクアドレスを再生することが可能となる。
【実施例】
【０００８】
以下に本発明の実施例を図面を参照しつつ詳細に説明する。
【０００９】
図１は、読取ビームの入射面側から眺めた本発明による光ディスクの全体を表す図である。
【００１０】
図１に示されるように本発明による光ディスクは、情報データの記録が可能な記録可能領域１０と、情報データを担うピット列が予め形成されている再生専用領域１１と、を備えたものである。
【００１１】
図２は、図１に示す如き記録可能領域１０と再生専用領域１１との境界部（一点破線にて示す）を抜粋して、かかる光ディスクの断面構造を示す図である。
【００１２】
図２に示されるように、この光ディスクは、ディスク基板１０１、このディスク基板１０１上に有機色素を塗布して構築された記録層１０２、反射層１０３及び保護層１０４が積層されたものである。ディスク基板１０１の表面、つまり記録層１０２に接触している面には、記録トラックを担う細溝としてのグルーブＧＲ１及びＧＲ２が、光ディスクの中心点を軸として螺旋状もしくは同心円状に形成されている。尚、グルーブＧＲ１は、上記再生専用領域１１内において、同期信号を担うウォブリング状の形態にてディスク基板１０１の表面に形成されている。又、グルーブＧＲ２は、上記記録可能領域１０内において、同期信号を担うウォブリング状の形態にてディスク基板１０１の表面に形成されている。
【００１３】
図３は、読取ビームの入射面側から眺めた記録可能領域１０及び再生専用領域１１各々での構造の一部を拡大して表す図である。又、図４（ａ）及び図４（ｂ）は、図３に示す如き再生専用領域１１におけるＶ１−Ｖ１線及びＶ２−Ｖ２線各々での光ディスクの断面を表す図であり、図４（ｃ）は、記録可能領域１０におけるＶ３−Ｖ３線での光ディスクの断面を表す図である。
【００１４】
図３に示すように、記録トラックを担うグルーブＧＲ１及びＧＲ２各々には、ディスクアドレスを表す窪み部として、互いに隣接するグルーブＧＲ間のランド部に張り出したランドプリピット部ＬＰＰ（ＬＰＱ）が散在して形成されている。すなわち、ディスクアドレスを表すランドプリピットが、互いに隣接するグルーブＧＲ間のランド部に形成されているのである。
【００１５】
この際、記録可能領域１０内では、図４（ｃ）に示すように、ランドプリピット部ＬＰＰにおける窪みの深さＤ２LPは、グルーブＧＲ２における溝の深さと同一である。
【００１６】
再生専用領域１１に形成されているグルーブＧＲ１には、図３に示す如く、情報データを担う複数のピットＰＴからなるピット列が予め形成されている。尚、これらピットＰＴ各々の中には、上述した如きランドプリピットと同一の役目を兼用するピットＰＴPが存在する。かかるピットＰＴPには、図３に示す如く、互いに隣接するグルーブＧＲ１間のランド部に張り出したランドプリピット部ＬＰＱが形成されている。すなわち、再生専用領域１１内では、ディスクアドレスを表すランドプリピットを設けるべきランド部上での位置がピットＰＴと同一のディスク半径ライン上になる場合には、このピットＰＴに代えて、図３に示す如きランド部に張り出したランドプリピット部ＬＰＱを備えたピットＰＴPがグルーブＧＲ１上に形成されるのである。
【００１７】
この際、再生専用領域１１内では、図４（ｂ）に示すように、ピットＰＴにおける窪みの深さＤPTは、ランドプリピット部ＬＰＰにおける窪みの深さＤ１LPよりも大であり、且つランドプリピット部ＬＰＱでの窪みの深さは、図４（ａ）に示す如くピットＰＴにおける窪みの深さＤPTと同一である。つまり、ディスクアドレスを表すランドプリピット（ＬＰＱ）を形成させるべきランド部上での位置が、情報データを担うピットＰＴと同一のディスク半径ライン上になる場合には、このランドプリピット（ＬＰＱ）の窪みの深さを、情報データを担うピットＰＴにおける窪みの深さと同一にするのである。
【００１８】
上記の如き図３及び図４（ａ）〜図４（ｃ）に示す構造を有する光ディスクから記録情報の再生を行う再生装置は、そのグルーブＧＲ１又はＧＲ２上に読取ビームを照射した際の反射光レベルに対応した読取信号に基づき、ランドプリピット部ＬＰＰ又はＬＰＱを検出し、その検出頻度によってディスクアドレスを求める。ここで、ランドプリピット部ＬＰＰ及びＬＰＱの検出は、読取信号中におけるレベル推移パターンを検出することにより為される。例えば、読取ビームがグルーブＧＲ１又はＧＲ２上をトレースしている際に、ランドプリピット部ＬＰＰの区間に差しかかると、読取信号のレベルは、グルーブＧＲ１又はＧＲ２からの反射光に対応したレベルから、ランドプリピット部ＬＰＰからの反射光に対応したレベルに推移する。よって、かかるレベル推移を検出することにより、ランドプリピット部ＬＰＰの検出が為される。又、再生専用領域１１内において、読取ビームが図３に示す如きピットＰＴPの区間に差しかかると、読取信号のレベルは、先ず、グルーブＧＲ１からの反射光に対応したレベルから、ピットＰＴからの反射光に対応したレベルに推移し、引き続き、ランドプリピット部ＬＰＱからの反射光成分を重畳したレベルに推移する。よって、読取信号が、ピットＰＴからの反射光に対応したレベルから、更にランドプリピット部ＬＰＱからの反射光成分を重畳したレベルに推移したことをもって、ランドプリピット部ＬＰＱの検出が為される。
【００１９】
この際、本発明による光ディスクは、図４（ｃ）に示す如く、記録可能領域１０内において、ランドプリピット部ＬＰＰにおける窪みの深さ（Ｄ２LP）は、グルーブＧＲ２の溝の深さと同一である。又、図４（ａ）及び図４（ｂ）に示す如く、再生専用領域１１内において、ランドプリピット部ＬＰＰにおける窪みの深さ（Ｄ１LP）は、グルーブＧＲ１の溝の深さ（Ｄ１LP）と同一である。更に、図４（ａ）及び図４（ｂ）に示す如く、情報データを担うピットと同一のディスク半径ライン上に存在するランドプリピット部ＬＰＱにおける窪みの深さ（ＤPT）は、情報データを担うピットＰＴにおける窪みの深さ（ＤPT）と同一である。つまり、ランドプリピット部ＬＰＱからの反射光、及びピットＰＴからの反射光は互いに同一条件（深さ）下で得られたものとなる。これにより、情報データを担うピット列からの信号干渉を受けることなく、ディスクアドレスを表すランドプリピット（ＬＰＱ）を検出することができるようになる。よって、再生専用領域に対しても、記録可能領域と同様にディスクアドレスを表すランドプリピットを設けるようにしても、情報データを担うピット列からの信号干渉を受けることなく、この再生専用領域からディスクアドレスを再生することが可能となる。
【００２０】
尚、かかる光ディスクでは、有機色素をスピンコートにて塗布することにより記録層１０２を構築するようにしている為、記録可能領域１０のみならず再生専用領域１１にも記録層１０２が含まれる形態となる。この際、情報データを担うピットＰＴ及びグルーブＧＲ１各々は有機色素が充填された状態となるが、これらピットＰＴ及びグルーブＧＲ１各々の深さは、有機色素を塗布する前と後とでバラツキが生じてしまう。そこで、再生装置側において、読取ビームをグルーブＧＲ１上にトレースさせるべきトラッキングサーボが十分掛かるようなグルーブの深さを規定して、有機色素のスピンコートを行うようにしている。従って、ピットＰＴの深さに関しては、必ずしも良好な読取信号が得られるような深さにはならない場合が生じる。
【００２１】
そこで、製品出荷前に、再生専用領域１１から正しく情報データの再生が為されるか否かを検査し、情報データを正しく再生することが出来なかった区間に含まれるピット列に向けて、ＤＣ消去を行うべきレーザビームを保護層１０４側から照射する。すなわち、本来、記録可能領域１０に記録した情報データを消去する為に用いられるレーザビームを、再生専用領域１１における上記ピット列に対応した部分に照射することにより、この部分に対応した記録層１０２の色素の屈折率を変化させて、情報データの再生が正しく為されるように調整するのである。
【００２２】
又、上述した如きＤＣ消去処理を行うことによって初めて再生専用領域１１から情報データの再生が可能となるようにピットＰＴ及びランドプリピット（ＬＰＰ、ＬＰＱ）の深さを規定することにより、偽造防止を実現することも可能である。すなわち、かかる光ディスクの製品出荷時において、本来、記録可能領域１０に記録した情報データを消去する為の消去処理を再生専用領域１１の全領域に対して施すのである。これにより、記録層１０２において再生専用領域１１に該当する部分は、情報データの消去状態となる。
【００２３】
又、記録層１０２を相変化型の材料で構築した場合には、再生専用領域１１の記録層１０２に予め不正な情報データを記録しておくことによりピット列からの読み取りを不可とする一方、この不正な情報データをＤＣ消去してピット列からの読み取りを可能とすることにより、偽造防止を実現することも可能である。
【図面の簡単な説明】
【００２４】
【図１】読取ビームの入射面側から眺めた本発明による光ディスクの全体を表す図である。
【図２】図１に示される光ディスクの断面構造の一部を表す図である。
【図３】図１に示される光ディスクを読取ビームの入射面側から眺めた際の構造の一部を拡大して表す図である。
【図４】図３に示されるＶ１−Ｖ１線、Ｖ２−Ｖ２線及びＶ３−Ｖ３線各々でのディスク断面の構造を表す図である。
【符号の説明】
【００２５】
１０     記録可能領域
１１     再生専用領域
ＧＲ     グルーブ
LPP,LPQ  ランドプリピット部
【図１】
0004996529.tif 000002
【図２】
0004996529.tif 000003
【図３】
0004996529.tif 000004
【図４】
0004996529.tif 000005